(57)【要約】【課題】静電気による帯電が生ずることがなく、集塵性能が高い掃除機用床ノズルを提供することを目的としている。【解決手段】被清掃面上より掻き上げた塵埃を床ノズル延長管入口部１５まで搬送するケーシング部１６と、前記ケーシング部１６内に設けられイオンを発生する手段１７とを備えた掃除機用床ノズルで、集塵性能が高い掃除機用床ノズルを提供できる。また、被清掃面上より掻き上げた塵埃を床ノズル延長管入口部まで搬送するケーシング部１５と、前記ケーシング部１５内に設けられイオンを発生する手段１７とを備え、前記イオンを前記被清掃面に向かって発生させる掃除機用床ノズルで、集塵性能が高い掃除機用床ノズルを提供できる。【選択図】図１
2004081882.tif 000002
【特許請求の範囲】
【請求項１】
被清掃面上より掻き上げた塵埃を床ノズル延長管入口部まで搬送するケーシング部と、前記ケーシング部内に設けられイオンを発生する手段とを備えた掃除機用床ノズル。
【請求項２】
被清掃面上の塵埃を掻き上げる塵埃掻き上げ部材を有するアジテータと、掻き上げた塵埃を床ノズル延長管入口部まで搬送するケーシング部と、前記ケーシング部内に設けたブラシとを備え、前記塵埃掻き上げ部材が回転して、前記ブラシと接触する掃除機用床ノズル。
【請求項３】
被清掃面上の塵埃を掻き上げる塵埃掻き上げ部材を有するアジテータを備え、前記アジテータを回転させ、前記塵埃掻き上げ部材と前記被清掃面とを摩擦させることで、前記塵埃掻き上げ部材を帯電させる掃除機用床ノズル。
【請求項４】
被清掃面上より掻き上げた塵埃を床ノズル延長管入口部まで搬送するケーシング部と、前記ケーシング部内に設けられイオンを発生する手段とを備え、前記イオンを前記被清掃面に向かって発生させる掃除機用床ノズル。
【発明の詳細な説明】
【技術分野】
【０００１】
　本発明はアジテータを有する掃除機用床ノズルに関するものである。
【背景技術】
【０００２】
　従来の掃除機用床ノズル１（以下単に床ノズル１と称する）について、図５・図６を用いて説明する。２は絨毯面上で回転して塵埃を掻き上げるアジテータで、非導電性の樹脂材料で形成した回転子３とその周面に設けたブレード４で形成している。モータ５は、前記アジテータ２の駆動源となっている。
【０００３】
　図７に示しているように、アジテータ２が回転することによってブレード４が清掃面である絨毯６の表面の塵埃７を掻き上げ、図示していない掃除機本体が発生する吸引力によってこの塵埃を、ケーシング部８を介して床ノズル延長管入口部９から、掃除機本体内に搬送するものである。
【発明の開示】
【発明が解決しようとする課題】
【０００４】
　前記従来の構成の床ノズル１は、アジテータ２が絨毯面上で回転すると静電気を生じるという課題を有しているものである。つまりアジテータ２が回転すると、ブレード４と絨毯６の表面とが摩擦し合って、床ノズル１と絨毯６の両方に静電気が生ずるものである。しかも、アジテータ２が掻き上げた塵埃７もケーシング部８と摩擦し合って静電気を生ずるものである。この静電気の発生によって、絨毯６内の塵埃は絨毯面に残留している静電気によって絨毯表面に強く付着し、床ノズル１の集塵性能を低下させるものである。また、床ノズル１外面に塵埃が付着して美観をそこねたり、使用者が床ノズル１に触れると電気ショックを感じるなどの課題を有しているものである。
【０００５】
　本発明はこのような従来の構成が有している課題を解決しようとするもので、集塵性能が高い掃除機用床ノズルを提供することを目的としている。
【課題を解決するための手段】
【０００６】
　上記目的を達成するために本発明は、被清掃面上より掻き上げた塵埃を床ノズル延長管入口部まで搬送するケーシング部と、前記ケーシング部内に設けられイオンを発生する手段とを備えた掃除機用床ノズルである。
【０００７】
　また、本発明は、被清掃面上の塵埃を掻き上げる塵埃掻き上げ部材を有するアジテータと、掻き上げた塵埃を床ノズル延長管入口部まで搬送するケーシング部と、前記ケーシング部内に設けたブラシとを備え、前記塵埃掻き上げ部材が回転して、前記ブラシと接触する掃除機用床ノズルである。
【０００８】
　また、本発明は、被清掃面上の塵埃を掻き上げる塵埃掻き上げ部材を有するアジテータを備え、前記アジテータを回転させ、前記塵埃掻き上げ部材と前記被清掃面とを摩擦させることで、前記塵埃掻き上げ部材を帯電させる掃除機用床ノズルである。
【０００９】
　また、本発明は、被清掃面上より掻き上げた塵埃を床ノズル延長管入口部まで搬送するケーシング部と、前記ケーシング部内に設けられイオンを発生する手段とを備え、前記イオンを前記被清掃面に向かって発生させる掃除機用床ノズルである。
【発明の効果】
【００１０】
　本発明によれば、集塵性能が高い掃除機用床ノズルを提供できる。
【発明を実施するための最良の形態】
【００１１】
　第１の発明は、被清掃面上より掻き上げた塵埃を床ノズル延長管入口部まで搬送するケーシング部と、前記ケーシング部内に設けられイオンを発生する手段とを備えた掃除機用床ノズルである。
【００１２】
　第２の発明は、被清掃面上の塵埃を掻き上げる塵埃掻き上げ部材を有するアジテータと、掻き上げた塵埃を床ノズル延長管入口部まで搬送するケーシング部と、前記ケーシング部内に設けたブラシとを備え、前記塵埃掻き上げ部材が回転して、前記ブラシと接触する掃除機用床ノズルである。
【００１３】
　第３の発明は、被清掃面上の塵埃を掻き上げる塵埃掻き上げ部材を有するアジテータを備え、前記アジテータを回転させ、前記塵埃掻き上げ部材と前記被清掃面とを摩擦させることで、前記塵埃掻き上げ部材を帯電させる掃除機用床ノズルである。
【００１４】
　第４の発明は、被清掃面上より掻き上げた塵埃を床ノズル延長管入口部まで搬送するケーシング部と、前記ケーシング部内に設けられイオンを発生する手段とを備え、前記イオンを前記被清掃面に向かって発生させる掃除機用床ノズルである。
【００１５】
　（実施の形態１）
　以下、本発明の第一の実施の形態を、図１・図２を参照して説明する。アジテータ１３は、回転子１１とその周面に設けているブレード１２で形成している。１４は、アジテータ１３を駆動する駆動源である。アジテータ１３の駆動によって掻き上げられた絨毯面の塵埃は、図示していない掃除機本体が発生する吸引力によって掃除機本体の吸気によってケーシング部１６を介して床ノズル延長管入口部１５まで搬送され、掃除機本体内に集塵される。１７は、ケーシング部１６内に設けている静電気を中和し除去する電極で、高電圧発生回路１８によって高電圧を印荷される。
【００１６】
　以下、本実施の形態の動作について説明する。高電圧発生回路１８が電極１７に高電圧を印荷すると、電極１７はイオンを発生する。このイオンは正極性のものと負極性のものとがあり、正極性のものは静電気によって負に帯電している電荷を中和し、正極性のものは同様に正に帯電している電荷を中和するように作用するものである。つまり、アジテータ１３を構成するブレード１２と絨毯表面との摩擦によって絨毯表面とケーシング部１６とが正または負に帯電しても、このイオンによって電荷が中和されるものである。従って、絨毯表面は除電されることになり、絨毯内の塵埃が絨毯表面に静電気によって吸着されるような現象は生じないものである。
【００１７】
　つまり、本実施の形態の掃除機用床ノズルは、集塵性能の高い掃除機用床ノズルとして作用するものである。またケーシング部１６に帯電することもないため、床ノズル外面に塵埃が付着して美観をそこねたり、使用者が床ノズルに触れて電気ショックを感じるなどの問題点もなくなり安全性が向上するものである。
【００１８】
　（実施の形態２）
　続いて本発明の第二の実施の形態を、図３・図４に基づいて説明する。図４は、本発明の第二の手段の第二の実施の形態を示している。本実施の形態では、ケーシング部２４内に自己放電式除電ブラシ２５（以下単に除電ブラシ２５と称する）をブラシの先端がブレード２０に接するように設けているものである。本実施の形態ではブレード２０は、帯電防止材入りの樹脂で構成しており、その固有抵抗は約１０6〜１０7Ω−ｃｍ程度となっているものである。
【００１９】
　以下、本実施の形態の動作について説明する。ケーシング部２４内に設けている除電ブラシ２５は、静電気による電荷を放電して除電するように作用するものである。本実施の形態のブレード２０は、１回転する毎にこの除電ブラシの先端に接触するようになっている。一方、ブレード２０と絨毯表面との摩擦によって絨毯表面に発生していた静電気による電荷は、ブレード２０が接触する都度ブレード２０に移行するものである。つまり、固有抵抗が前記１０6〜１０7Ω−ｃｍ程度の物体が帯電体に接触すると、帯電体の電荷がこの物体の表面に移動するものである。つまり、絨毯表面に発生している静電気による電荷は、ブレード２０が回転する毎にブレード２０に移動し、更に除電ブラシ２５のブラシ先端部が接触する都度放電されることになるものである。また、ケーシング部２４が吸い込んだ塵埃は除電ブラシ２５とすぐに接触して除電されるため、ケーシング部２４が帯電することはないものである。
【００２０】
　以上のように本実施の形態によれば、前記実施の形態と同様絨毯表面と床ノズルの外面が帯電することはなく、しかも前記実施の形態のような高電圧発生回路を使用する必要のない簡単な構成で、集塵性能の高い掃除機用床ノズルとして作用するものである。またケーシング部１６に帯電することもないため、床ノズル外面に塵埃が付着して美観をそこねたり、使用者が床ノズルに触れて電気ショックを感じるなどの問題点もなく、安全性の高い掃除機用床ノズルを実現するものである。
【産業上の利用可能性】
【００２１】
　以上のように本発明の掃除機用床ノズルは、集塵性能を向上できるので、家庭用、業務用を問わず、吸込部を有する掃除機全般に有用である。
【図面の簡単な説明】
【００２２】
【図１】本発明の第一の実施の形態における掃除機用床ノズルの断面図
【図２】同上本体部材を取り除いた状態での掃除機用床ノズルの平面図
【図３】本発明の第二の実施の形態における掃除機用床ノズルの断面図
【図４】同掃除機用床ノズルの上本体部材を取り除いた状態での平面図
【図５】従来の掃除機用床ノズルの断面図
【図６】同上本体部材を取り除いた状態での平面図
【図７】同掃除機用床ノズルの作用を説明する説明図
【符号の説明】
【００２３】
　１１、１９　回転子
　１３、２１　アジテータ
　１４、２２　駆動源
　１５、２３　床ノズル延長管入口部
　１６、２４　ケーシング部
【図１】
2004081882.tif 000003
【図２】
2004081882.tif 000004
【図３】
2004081882.tif 000005
【図４】
2004081882.tif 000006
【図５】
2004081882.tif 000007
【図６】
2004081882.tif 000008
【図７】
2004081882.tif 000009